(57)【要約】患者を撮影した診断画像情報と診断画像情報を記憶するワークステーションと診断画像情報を表示する表示装置は、表示装置に附設されて表示装置前に存在する対象の生態情報を取り込むセンサと、センサに接続され前記ワークステーションに内蔵されてあらかじめ登録された生態情報とセンサより得た生態情報とを比較する生態情報認識手段と、生態情報認識手段による比較結果が同一の生態情報である場合には生態情報とリンクする診断画像を表示装置に表示させて生態情報認識手段による比較結果が同一の生態情報でない場合には表示装置の機能の一部を停止する表示装置制御手段とからなる。
2002042964.tif 000002
【特許請求の範囲】
【請求項１】
患者を撮影した診断画像情報と診断画像情報を記憶するワークステーションと診断画像情報を表示する表示装置において、
表示装置に附設されて表示装置前に存在する対象の生態情報を取り込むセンサと、センサに接続され前記ワークステーションに内蔵されてあらかじめ登録された生態情報とセンサより得た生態情報とを比較する生態情報認識手段と、生態情報認識手段による比較結果が同一の生態情報である場合には生態情報とリンクする診断画像を表示装置に表示させて生態情報認識手段による比較結果が同一の生態情報でない場合には表示装置の機能の一部を停止する表示装置制御手段とからなるＣＲＴ画像診断ワークステーションでの生態認識システム。
【請求項２】
前記生態情報を取り込むセンサは、画像入力装置と、音声入力装置と、指紋識別装置と、虹彩スキャナと、フェイススキャナとそれらのいずれか一つまたはそれらの組合とからなることを特徴とする請求項１記載の生態認識システム。
【請求項３】
前記診断画像は、Ｘ線画像と、ＣＴ画像と、ＭＲＩ画像と、ＣＲ画像のいずれかまたはそれらの組合とからなることを特徴とする請求項１乃至２いずれかに記載の生態認識システム。
【請求項４】
前記生態情報と個人情報とがリンクすることを特徴とする請求項１乃至３いずれかに記載の生態認識システム。
【請求項５】
前記診断画像に表示装置の製造情報または性能情報または環境情報とがリンクすることを特徴とする請求項１乃至４いずれかに記載の生態認識システム。
【請求項６】
前記生態情報認識手段による比較結果が同一の生態情報でない場合に、不正アクセス結果を記録することを特徴とする請求項１乃至５いずれかに記載の生態認識システム。
【請求項７】
患者を撮影した診断画像情報と診断画像情報を記憶するワークステーションと診断画像情報を表示する表示方法において、
表示装置に附設されて表示装置前に存在する対象の生態情報をセンサで取り込む工程と、センサに接続され前記ワークステーションに内蔵されてあらかじめ登録された生態情報とセンサより得た生態情報とを比較する生態情報認識工程と、生態情報認識工程による比較結果が同一の生態情報である場合には生態情報とリンクする診断画像を表示装置に表示させる工程と、生態情報認識工程による比較結果が同一の生態情報でない場合には表示装置の機能の一部を停止する表示装置制御工程とからなるＣＲＴ画像診断ワークステーションでの生態認識方法。
【請求項８】
前記生態情報をセンサで取り込む工程は、画像入力装置と、音声入力装置と、指紋識別装置と、虹彩スキャナと、フェイススキャナとそれらのいずれか一つまたはそれらの組合を使用することからなることを特徴とする請求項７記載の生態認識方法。
【請求項９】
前記診断画像は、Ｘ線画像と、ＣＴ画像と、ＭＲＩ画像と、ＣＲ画像のいずれかまたはそれらの組合とからなることを特徴とする請求項７乃至８いずれかに記載の生態認識方法。
【請求項１０】
前記生態情報と個人情報とがリンクすることを特徴とする請求項７乃至９いずれかに記載の生態認識方法。
【請求項１１】
前記診断画像に表示装置の製造情報または性能情報または環境情報とがリンクすることを特徴とする請求項７乃至１０いずれかに記載の生態認識方法。
【請求項１２】
前記生態情報認識手段による比較結果が同一の生態情報でない場合に、不正アクセス結果を記録することを特徴とする請求項７乃至１１いずれかに記載の生態認識方法。
【発明の詳細な説明】
技術分野
本発明は、患者を撮影した診断画像情報と診断画像情報を記憶するワークステーションと診断画像情報を表示する表示装置に関する。
背景技術
ここ数年間，ＣＲＴモニタを使用したＣＲＴ画像診断は、米国、欧州では活発になっている。２０００年今現在で世界市場への普及率は約５から８％程度で、今後８年間で約７０％まで普及されるといわれている。ＣＲＴ（またはいかなるディスプレイも含む）画像診断は従来の診断用Ｘ線フィルムから電気的に表示するディスプレイシステムに置き換わる中で、電気的に表示する診断用ディスプレイモニタはＸ線フィルムに比較して、入力装置もデータ保管装置もＣＲＴ画像診断装置も、いつ製造されて、どのような条件すなわち装置の性能パラメータ（輝度，ガンマ特性，ＭＴＦなど）の値は何で，だれがいつ測定し、だれがいつどの画像を使ってジャッジしたのかといった情報が今後必要である。なぜならこれらの情報が，診断する医師のセキュリティ及び診断される患者の保証等をしてくれるからである。またこれらの情報は、診断に関わる医師と患者の間での訴訟時に極めて有効な情報となる。
現状では、画像がフィルムの場合には診断した医師がサインしたりマーキングしたりしている。画像がＣＲＴの場合にはキーボードからパスワード等を使って個人を認識させている。
しかし，現状では操作する個人を特定する有効な方法を用いておらず、医師が診断している画像から離れたときに、セキュリティ的な問題がある。またセキュリティを高めるために毎回パスワードを打つのも効率的ではない。すなわち、第３図（ａ）に示すように現在のシステムでは、診断する医師がパスワードと診断情報と個人情報を入力する方法がとられている。このため、データ入力の煩雑性の問題と、セキュリティがパスワードのみによって守られているという問題がある。現状の最大の問題点は、診断される画像が受動的であり、だれでもそのＣＲＴ診断画像を見ることができるということである。
ここに、第３図（ｂ）に示す診断する医師が情報機器に入力するのを診断情報のみとして、情報機器自身が生態情報を収集し、医師は存在するだけで自動的に生態情報を情報機器へ伝達することとすれば、セキュリティと煩雑性の問題が解決される。
医用画像情報管理システム（特開平８−１６１４６１号）では、読影医師が担当する患者の画像を予め決められたワークステーションでも読影可能とするために画像の識別番号を管理する発明が記載されている。このシステムにおいて読影医師名又は、読影医師識別番号で識別されており、読影医師名又は、読影医師識別番号を知りうる者は、誰でも読影可能である。
また、個人認証方法および装置（特開２０００−２６８１７５号）では、個人認証を行うための少なくとも１つの生体的特徴を特定する認証条件データをユーザが携帯するＩＣカード２００に記憶し、このＩＣカード２００から読み取った認証条件データに対応する生体的特徴をユーザから検出することで個人認証を行う発明が記載されている。特に本発明では、指紋認証アルゴリズムと声紋認証アルゴリズムと顔面認証アルゴリズムについて開示されてある。この発明において、医療画像の読み出しに認証方法を適用することによるセキュリティにおける効果とデータ管理における効果については開示されていない。
そこで、本発明は、対象となるＣＲＴ診断画像を能動的にし，特定された個人しかその画像を見ることができないものとすることを目的としている。
発明の開示
本発明に係る患者を撮影した診断画像情報と診断画像情報を記憶するワークステーションと診断画像情報を表示する表示装置は、表示装置に附設されて表示装置前に存在する対象の生態情報を取り込むセンサと、センサに接続され前記ワークステーションに内蔵されてあらかじめ登録された生態情報とセンサより得た生態情報とを比較する生態情報認識手段と、生態情報認識手段による比較結果が同一の生態情報である場合には生態情報とリンクする診断画像を表示装置に表示させて生態情報認識手段による比較結果が同一の生態情報でない場合には表示装置の機能の一部を停止する表示装置制御手段とからなる。
この生態情報を取り込むセンサは、画像入力装置と、音声入力装置と、指紋識別装置と、虹彩スキャナと、フェイススキャナとそれらのいずれか一つまたはそれらの組合とからなることを特徴とする。
この診断画像は、Ｘ線画像と、ＣＴ画像と、ＭＲＩ画像と、ＣＲ画像のいずれかまたはそれらの組合とからなることを特徴とする。
この生態情報と個人情報とがリンクすることを特徴とする。
この診断画像に表示装置の製造情報または性能情報または環境情報とがリンクすることを特徴とする。
この生態情報認識手段による比較結果が同一の生態情報でない場合に、不正アクセス結果を記録することを特徴とする。
ＣＲＴ画像診断ワークステーションでの生態認識方法は、患者を撮影した診断画像情報と診断画像情報を記憶するワークステーションと診断画像情報を表示する表示方法において、表示装置に附設されて表示装置前に存在する対象の生態情報をセンサで取り込む工程と、センサに接続され前記ワークステーションに内蔵されてあらかじめ登録された生態情報とセンサより得た生態情報とを比較する生態情報認識工程と、生態情報認識工程による比較結果が同一の生態情報である場合には生態情報とリンクする診断画像を表示装置に表示させる工程と、生態情報認識工程による比較結果が同一の生態情報でない場合には表示装置の機能の一部を停止する表示装置制御工程とからなる。
この生態情報をセンサで取り込む工程は、画像入力装置と、音声入力装置と、指紋識別装置と、虹彩スキャナと、フェイススキャナとそれらのいずれか一つまたはそれらの組合を使用することからなることを特徴とする。
この診断画像は、Ｘ線画像と、ＣＴ画像と、ＭＲＩ画像と、ＣＲ画像のいずれかまたはそれらの組合とからなることを特徴とする。
この生態情報と個人情報とがリンクすることを特徴とする。
この診断画像に表示装置の製造情報または性能情報または環境情報とがリンクすることを特徴とする。
この生態情報認識手段による比較結果が同一の生態情報でない場合に、不正アクセス結果を記録することを特徴とする。
発明を実施するための最良の形態
本発明をより詳細に説述するために、添付の図面に従ってこれを説明する。
第１図は、ＣＲＴ画像診断ワークステーションでの生態認識システムの一実施形態のブロック図を示す。生態認識システムは、ＣＲＴモニタ２と、ＣＲＴモニタ２接続されるワークステーション４と、ワークステーション４と接続される生態情報を取りこむセンサ６とから構成される。
ＣＲＴモニタ２は、ワークステーション４のモニタであり医療用画像１４を表示する。画像装置は、ＣＲＴに限定されるものではなく、液晶表示装置と、プラズマディスプレイ装置と、ＥＬディスプレイ等のワークステーション等の電子計算機の画像表示が可能であれば何れの装置であっても良い。
ＣＲＴモニタ２は、その製造日と、製造番号と、製造地を含む製造情報と、経時変化を含む輝度、ガンマ特性、ＭＴＦ等の性能情報１２を記録してワークステーション４へ出力する。
ワークステーション４は、その内部に生態情報を取りこむセンサ６に接続される生態情報認識ソフト８と、生態情報認識ソフト８に接続される個人情報と生態情報１０と、個人情報と生態情報１０とリンクされる診断画像データ１４と、生態情報認識ソフト８と接続されるモニタ制御装置１８とから構成される。
生態情報認識ソフト８は、生態情報を取りこむセンサ６から顔認識情報と指紋認識情報と音声認識情報を受信する。生態情報認識ソフト８は、受信した顔認識情報と指紋認識情報と音声認識情報の特徴情報より個人情報と生態情報１０内に予め登録された顔認識情報と指紋認識情報と音声認識情報からなる生態情報を検索する。生態情報認識ソフト８が、検索した結果登録された生態情報と一致した場合には登録された生態情報と対応する登録された個人情報を取出す。さらに、生態情報と一致した旨をワークステーション４内のメモリに記録する（図示せず）。生態情報認識ソフト８は、さらに生態情報と一致した旨をモニタ制御１８にも伝達する。
生態情報認識ソフト８は、検索した結果登録された生態情報と一致しない場合には、生態情報と一致しない旨をワークステーション４内のメモリに記録する（図示せず）。
個人情報と生態情報１０は、本システムを利用する医師の顔映像データを、正面と、左側面と、右側面と、左斜め前面と、右斜め前面等と、指紋採取情報と、音声声紋情報を一人又は複数名で予め登録しておく。個人情報と生態情報１０は、生態情報認識ソフト８より問合せがあった場合にその情報を提供する。
診断画像データ１４は、患者のＸ線画像と、ＣＴ画像と、ＭＲＩ画像と、ＣＲ画像のいずれかの画像が記録されたデータである。診断画像データ１４の副次情報として、患者名と、撮影日と、撮影部位情報と、担当医師情報とが記録されるとともに、画像情報を閲覧した時の画像表示装置の製造情報と、性能情報とを診断画像に記録する。
モニタ制御１８は、生態情報認識ソフト８より検索した結果登録された生態情報と一致した信号を得た場合は、表示装置のロック状態を解除し、一致した医師の担当する患者の診断画像を表示する。また、検索した結果登録された生態情報と一致しない信号を得た場合は、表示装置のロック状態を継続する。
生態情報を取りこむセンサ６は、画像入力装置と、音声入力装置と、指紋識別装置とから構成される。この他に虹彩スキャナと、フェイススキャナ等から構成されてもよい。画像入力装置より顔や体系や歩き方等のバイオメトリクス情報を取りこみ個人情報と生態情報１０に記録する。また、マイク等の音声入力装置より医師の声紋等、医師を特徴付ける情報を音声情報として認識して採り込み個人情報と生態情報１０に記録する。さらに、医師の指紋を指紋識別装置より取りこみ個人情報と生態情報１０に記録する。
第２図は、この発明に係るＣＲＴ画像診断ワークステーションでの生態認識システムの一実施形態を示す構成図を示す。生態認識システムは、ＣＲＴモニタ２と、ＣＲＴモニタ２接続されるワークステーション４と、ワークステーション４と接続されるキーボード・マウス１６とから構成される。ＣＲＴモニタ２上に、画像入力装置６ａと、音声入力装置６ｃと、指紋識別装置６ｂとが配置される。
画像入力装置６ａは、ＣＲＴモニタ２前面上部に配置される。ＣＲＴモニタ２の前に着席した人物の顔情報を上部から入力するためである。
音声入力装置６ｃは、ＣＲＴモニタ２前面下部に配置される。ＣＲＴモニタ２の前に着席した人物の口の位置に対応させるためである。
指紋識別装置６ｂも、ＣＲＴモニタ２前面下部に配置される。ＣＲＴモニタ２の前に着席した人物の指を置きやすい位置とするためである。但し、これらの位置は一実施例であって、この位置に限定されない。
第４図は、この発明に係るＣＲＴ画像診断ワークステーションでの生態認識方法を示すブロックダイヤグラムである。
先ず、スタート（Ａ２）後モニタ制御１８は、ＣＲＴ画像診断ワークステーション４のモニタ２をロックする（Ａ４）。不正な使用を防止するためである。
その後常に生態情報を収集しつづけ、モニタ２前に医師が着席し、画像入力装置６ａに医師の顔を撮影させて、音声入力装置６ｃに医師の声を集音させ、さらに医師の指を指紋識別装置６ｂに配置して認識させることで、着席した医師の生態情報が取りこまれる（Ａ６）。
生態情報認識ソフト８は、認識した顔情報と音声情報と指紋情報を認識して登録されている個人情報と生態情報１０と比較を開始する（Ａ１０）。
登録された人物と一致した場合は、ワークステーション４内のメモリに記録（Ａ１２）した後にモニタ制御１８が、モニタ２のロックを解除する（Ａ１４）。
さらに、その医師の担当する患者の診断情報と、個人情報とモニタ２の情報を診断画像にに結合する（Ａ１６）。
登録された人物と一致しない場合は、ワークステーション４内のメモリに記録（Ａ１８）した後にモニタ制御１８が、モニタ２のロックを継続し続けるとともにセキュリティシステムへ連絡する（Ａ２０）。
産業上の利用の可能性
以上説明したように、本発明に係るＣＲＴ画像診断ワークステーションでの生態認識システムによれば、パスワードを入力する煩雑性と、パスワードを盗まれたことによるセキュリティの低下を防止し、登録された本人のみしか持ち得ないバイオメトリクス情報による、診断情報保護のためのセキュリティが万全なものとなる。
また、生態情報の認識によりリンク情報を基に医師の必要な患者データのみを表示することができて、改めて情報機器から患者診断情報を検索する作業が削減される。
さらに、診断情報が環境問題とリンクされるため、本システムを使用して診断した場合に、診断の環境情報が記録として残るため医療訴訟時に証拠として提出可能となる。
【図面の簡単な説明】
第１図は、この発明に係るＣＲＴ画像診断ワークステーションでの生態認識システムの一実施形態のブロック図であり、
第２図は、この発明に係るＣＲＴ画像診断ワークステーションでの生態認識システムの一実施形態を示す構成図であり、
第３図は、従来のシステムとこの発明に係るシステムの概念図であり、
第４図は、この発明に係るＣＲＴ画像診断ワークステーションでの生態認識方法を示すブロックダイヤグラムである。
【図１】
2002042964.tif 000003
【図２】
2002042964.tif 000004
【図３】
2002042964.tif 000005
【図４】
2002042964.tif 000006
【手続補正書】
【提出日】平成14年9月26日(2002.9.26)
【手続補正１】
【補正対象書類名】明細書
【補正対象項目名】特許請求の範囲
【補正方法】変更
【補正の内容】
【特許請求の範囲】
【請求項１】
患者を撮影した診断画像情報と診断画像情報を記憶するワークステーションと診断画像情報を表示する表示装置において、
表示装置に附設されて表示装置前に存在する医師の生体情報を取り込むセンサと、センサに接続され前記ワークステーションに内蔵されてあらかじめ登録された生体情報とセンサより得た生体情報とを比較する生体情報認識手段と、生体情報認識手段による比較結果が同一の生体情報である場合には生体情報とリンクする診断画像を表示装置に表示させて生体情報認識手段による比較結果が同一の生体情報でない場合には表示装置の機能の一部を停止する表示装置制御手段とからなり、前記診断画像に表示装置の製造情報または性能情報または環境情報とがリンクすることを特徴とするＣＲＴ画像診断ワークステーションでの生体認識システム。
【請求項２】
前記生体情報を取り込むセンサは、画像入力装置と、音声入力装置と、指紋識別装置と、虹彩スキャナと、フェイススキャナとそれらのいずれか一つまたはそれらの組合せとからなることを特徴とする請求項１記載の生体認識システム。
【請求項３】
前記診断画像は、Ｘ線画像と、ＣＴ画像と、ＭＲＩ画像と、ＣＲ画像のいずれかまたはそれらの組合せとからなることを特徴とする請求項１乃至２いずれかに記載の生体認識システム。
【請求項４】
前記生体情報と個人情報とがリンクすることを特徴とする請求項１乃至３いずれかに記載の生体認識システム。
【請求項５】
削除
【請求項６】
前記生体情報認識手段による比較結果が同一の生体情報でない場合に、不正アクセス結果を記録することを特徴とする請求項１乃至５いずれかに記載の生体認識システム。
【請求項７】
患者を撮影した診断画像情報と診断画像情報を記憶するワークステーションと診断画像情報を表示する表示方法において、
表示装置に附設されて表示装置前に存在する医師の生態情報をセンサで取り込む工程と、センサに接続され前記ワークステーションに内蔵されてあらかじめ登録された生態情報とセンサより得た生態情報とを比較する生態情報認識工程と、生態情報認識工程による比較結果が同一の生態情報である場合には生態情報とリンクする診断画像を表示装置に表示させる工程と、生態情報認識工程による比較結果が同一の生態情報でない場合には表示装置の機能の一部を停止する表示装置制御工程とからなるＣＲＴ画像診断ワークステーションでの生態認識方法。
【請求項８】
前記生態情報をセンサで取り込む工程は、画像入力装置と、音声入力装置と、指紋識別装置と、虹彩スキャナと、フェイススキャナとそれらのいずれか一つまたはそれらの組合を使用することからなることを特徴とする請求項７記載の生態認識方法。
【請求項９】
前記診断画像は、Ｘ線画像と、ＣＴ画像と、ＭＲＩ画像と、ＣＲ画像のいずれかまたはそれらの組合とからなることを特徴とする請求項７乃至８いずれかに記載の生態認識方法。
【請求項１０】
前記生態情報と個人情報とがリンクすることを特徴とする請求項７乃至９いずれかに記載の生態認識方法。
【請求項１１】
削除
【請求項１２】
前記生態情報認識手段による比較結果が同一の生態情報でない場合に、不正アクセス結果を記録することを特徴とする請求項７乃至１１いずれかに記載の生態認識方法。
【手続補正２】
【補正対象書類名】明細書
【補正対象項目名】０００１
【補正方法】変更
【補正の内容】
【０００１】
明細書
ＣＲＴ画像診断ワークステーションでの生体認識システムとその方法
技術分野
本発明は、患者を撮影した診断画像情報と診断画像情報を記憶するワークステーションと診断画像情報を表示する表示装置に関する。
背景技術
ここ数年間，ＣＲＴモニタを使用したＣＲＴ画像診断は、米国、欧州では活発になっている。２０００年今現在で世界市場への普及率は約５から８％程度で、今後８年間で約７０％まで普及されるといわれている。ＣＲＴ（またはいかなるディスプレイも含む）画像診断は従来の診断用Ｘ線フィルムから電気的に表示するディスプレイシステムに置き換わる中で、電気的に表示する診断用ディスプレイモニタはＸ線フィルムに比較して、入力装置もデータ保管装置もＣＲＴ画像診断装置も、いつ製造されて、どのような条件すなわち装置の性能パラメータ（輝度，ガンマ特性，ＭＴＦなど）の値は何で，だれがいつ測定し、だれがいつどの画像を使ってジャッジしたのかといった情報が今後必要である。なぜならこれらの情報が，診断する医師のセキュリティ及び診断される患者の保証等をしてくれるからである。またこれらの情報は、診断に関わる医師と患者の間での訴訟時に極めて有効な情報となる。
現状では、画像がフィルムの場合には診断した医師がサインしたりマーキングしたりしている。画像がＣＲＴの場合にはキーボードからパスワード等を使って個人を認識させている。
しかし，現状では操作する個人を特定する有効な方法を用いておらず、医師が診断している画像から離れたときに、セキュリティ的な問題がある。またセキュリティを高めるために毎回パスワードを打つのも効率的ではない。すなわち、第３図（


【手続補正３】
【補正対象書類名】明細書
【補正対象項目名】０００２
【補正方法】変更
【補正の内容】
【０００２】
ａ）に示すように現在のシステムでは、診断する医師がパスワードと診断情報と個人情報を入力する方法がとられている。このため、データ入力の煩雑性の問題と、セキュリティがパスワードのみによって守られているという問題がある。現状の最大の問題点は、診断される画像が受動的であり、だれでもそのＣＲＴ診断画像を見ることができるということである。
ここに、第３図（ｂ）に示す診断する医師が情報機器に入力するのを診断情報のみとして、情報機器自身が生体情報を収集し、医師は存在するだけで自動的に生体情報を情報機器へ伝達することとすれば、セキュリティと煩雑性の問題が解決される。
医用画像情報管理システム（特開平８−１６１４６１号）では、読影医師が担当する患者の画像を予め決められたワークステーションでも読影可能とするために画像の識別番号を管理する発明が記載されている。このシステムにおいて読影医師名又は、読影医師識別番号で識別されており、読影医師名又は、読影医師識別番号を知りうる者は、誰でも読影可能である。
また、個人認証方法および装置（特開２０００−２６８１７５号）では、個人認証を行うための少なくとも１つの生体的特徴を特定する認証条件データをユーザが携帯するＩＣカード２００に記憶し、このＩＣカード２００から読み取った認証条件データに対応する生体的特徴をユーザから検出することで個人認証を行う発明が記載されている。特に本発明では、指紋認証アルゴリズムと声紋認証アルゴリズムと顔面認証アルゴリズムについて開示されてある。この発明において、医療画像の読み出しに認証方法を適用することによるセキュリティにおける効果とデータ管理における効果については開示されていない。
そこで、本発明は、対象となるＣＲＴ診断画像を能動的にし，特定された個人しかその画像を見ることができないものとすることを目的としている。
発明の開示


【手続補正４】
【補正対象書類名】明細書
【補正対象項目名】０００３
【補正方法】変更
【補正の内容】
【０００３】
本発明に係る患者を撮影した診断画像情報と診断画像情報を記憶するワークステーションと診断画像情報を表示する表示装置は、表示装置に附設されて表示装置前に存在する医師の生体情報を取り込むセンサと、センサに接続され前記ワークステーションに内蔵されてあらかじめ登録された生体情報とセンサより得た生体情報とを比較する生体情報認識手段と、生体情報認識手段による比較結果が同一の生体情報である場合には生体情報とリンクする診断画像を表示装置に表示させて生体情報認識手段による比較結果が同一の生体情報でない場合には表示装置の機能の一部を停止する表示装置制御手段とからなり、この診断画像に表示装置の製造情報または性能情報または環境情報とがリンクすることを特徴とする。
この生体情報を取り込むセンサは、画像入力装置と、音声入力装置と、指紋識別装置と、虹彩スキャナと、フェイススキャナとそれらのいずれか一つまたはそれらの組合とからなることを特徴とする。
この診断画像は、Ｘ線画像と、ＣＴ画像と、ＭＲＩ画像と、ＣＲ画像のいずれかまたはそれらの組合とからなることを特徴とする。
この生体情報と個人情報とがリンクすることを特徴とする。
この生体情報認識手段による比較結果が同一の生体情報でない場合に、不正アクセス結果を記録することを特徴とする。
ＣＲＴ画像診断ワークステーションでの生体認識方法は、患者を撮影した診断画像情報と診断画像情報を記憶するワークステーションと診断画像情報を表示する表示方法において、表示装置に附設されて表示装置前に存在する対象の生体情報をセンサで取り込む工程と、センサに接続され前記ワークステーションに内蔵されてあらかじめ登録された生体情報とセンサより得た生体情報とを比較する生体情報認識工程と、生体情報認識工程による比較結果が同一の生体情報である場合には生体情報とリンクする診断画像を表示装置に表示させる工程と、生体情報認識工程による比較結果が同一の生体情報でない場合には表示装置の機能の一部を停止する表示装


【手続補正５】
【補正対象書類名】明細書
【補正対象項目名】０００４
【補正方法】変更
【補正の内容】
【０００４】
置制御工程とからなり、この診断画像に表示装置の製造情報または性能情報または環境情報とがリンクすることを特徴とする。
この生体情報をセンサで取り込む工程は、画像入力装置と、音声入力装置と、指紋識別装置と、虹彩スキャナと、フェイススキャナとそれらのいずれか一つまたはそれらの組合せを使用することからなることを特徴とする。
この診断画像は、Ｘ線画像と、ＣＴ画像と、ＭＲＩ画像と、ＣＲ画像のいずれかまたはそれらの組合せとからなることを特徴とする。
この生体情報と個人情報とがリンクすることを特徴とする。
この生体情報認識手段による比較結果が同一の生体情報でない場合に、不正アクセス結果を記録することを特徴とする。
図面の簡単な説明
第１図は、この発明に係るＣＲＴ画像診断ワークステーションでの生体認識システムの一実施形態のブロック図であり、
第２図は、この発明に係るＣＲＴ画像診断ワークステーションでの生体認識システムの一実施形態を示す構成図であり、
第３図は、従来のシステムとこの発明に係るシステムの概念図であり、
第４図は、この発明に係るＣＲＴ画像診断ワークステーションでの生体認識方法を示すブロックダイヤグラムである。
発明を実施するための最良の形態
本発明をより詳細に説述するために、添付の図面に従ってこれを説明する。
第１図は、ＣＲＴ画像診断ワークステーションでの生体認識システムの一実施形態のブロック図を示す。生体認識システムは、ＣＲＴモニタ２と、ＣＲＴモニタ２接続されるワークステーション４と、ワークステーション４と接続される生体情報


【手続補正６】
【補正対象書類名】明細書
【補正対象項目名】０００５
【補正方法】変更
【補正の内容】
【０００５】
を取りこむセンサ６とから構成される。
ＣＲＴモニタ２は、ワークステーション４のモニタであり医療用画像１４を表示する。画像装置は、ＣＲＴに限定されるものではなく、液晶表示装置と、プラズマディスプレイ装置と、ＥＬディスプレイ等のワークステーション等の電子計算機の画像表示が可能であれば何れの装置であっても良い。
ＣＲＴモニタ２は、その製造日と、製造番号と、製造地を含む製造情報と、経時変化を含む輝度、ガンマ特性、ＭＴＦ等の性能情報１２を記録してワークステーション４へ出力する。
ワークステーション４は、その内部に生体情報を取りこむセンサ６に接続される生体情報認識ソフト８と、生体情報認識ソフト８に接続される個人情報と生体情報１０と、個人情報と生体情報１０とリンクされる診断画像データ１４と、生体情報認識ソフト８と接続されるモニタ制御装置１８とから構成される。
生体情報認識ソフト８は、生体情報を取りこむセンサ６から顔認識情報と指紋認識情報と音声認識情報を受信する。生体情報認識ソフト８は、受信した顔認識情報と指紋認識情報と音声認識情報の特徴情報より個人情報と生体情報１０内に予め登録された顔認識情報と指紋認識情報と音声認識情報からなる生体情報を検索する。生体情報認識ソフト８が、検索した結果登録された生体情報と一致した場合には登録された生体情報と対応する登録された個人情報を取出す。さらに、生体情報と一致した旨をワークステーション４内のメモリに記録する（図示せず）。生体情報認識ソフト８は、さらに生体情報と一致した旨をモニタ制御１８にも伝達する。
生体情報認識ソフト８は、検索した結果登録された生体情報と一致しない場合には、生体情報と一致しない旨をワークステーション４内のメモリに記録する（図示せず）。
個人情報と生体情報１０は、本システムを利用する医師の顔映像データを、正面と、左側面と、右側面と、左斜め前面と、右斜め前面等と、指紋採取情報と、音声声紋情報を一人又は複数名で予め登録しておく。個人情報と生体情報１０は、生体


【手続補正７】
【補正対象書類名】明細書
【補正対象項目名】０００６
【補正方法】変更
【補正の内容】
【０００６】
情報認識ソフト８より問合せがあった場合にその情報を提供する。
診断画像データ１４は、患者のＸ線画像と、ＣＴ画像と、ＭＲＩ画像と、ＣＲ画像のいずれかの画像が記録されたデータである。診断画像データ１４の副次情報として、患者名と、撮影日と、撮影部位情報と、担当医師情報とが記録されるとともに、画像情報を閲覧した時の画像表示装置の製造情報と、性能情報とを診断画像に記録する。
モニタ制御１８は、生体情報認識ソフト８より検索した結果登録された生体情報と一致した信号を得た場合は、表示装置のロック状態を解除し、一致した医師の担当する患者の診断画像を表示する。また、検索した結果登録された生体情報と一致しない信号を得た場合は、表示装置のロック状態を継続する。
生体情報を取りこむセンサ６は、画像入力装置と、音声入力装置と、指紋識別装置とから構成される。この他に虹彩スキャナと、フェイススキャナ等から構成されてもよい。画像入力装置より顔や体系や歩き方等のバイオメトリクス情報を取りこみ個人情報と生体情報１０に記録する。また、マイク等の音声入力装置より医師の声紋等、医師を特徴付ける情報を音声情報として認識して採り込み個人情報と生体情報１０に記録する。さらに、医師の指紋を指紋識別装置より取りこみ個人情報と生体情報１０に記録する。
第２図は、この発明に係るＣＲＴ画像診断ワークステーションでの生体認識システムの一実施形態を示す構成図を示す。生体認識システムは、ＣＲＴモニタ２と、ＣＲＴモニタ２接続されるワークステーション４と、ワークステーション４と接続されるキーボード・マウス１６とから構成される。ＣＲＴモニタ２上に、画像入力装置６ａと、音声入力装置６ｃと、指紋識別装置６ｂとが配置される。
画像入力装置６ａは、ＣＲＴモニタ２前面上部に配置される。ＣＲＴモニタ２の前に着席した人物の顔情報を上部から入力するためである。
音声入力装置６ｃは、ＣＲＴモニタ２前面下部に配置される。ＣＲＴモニタ２の前に着席した人物の口の位置に対応させるためである。


【手続補正８】
【補正対象書類名】明細書
【補正対象項目名】０００７
【補正方法】変更
【補正の内容】
【０００７】
指紋識別装置６ｂも、ＣＲＴモニタ２前面下部に配置される。ＣＲＴモニタ２の前に着席した人物の指を置きやすい位置とするためである。但し、これらの位置は一実施例であって、この位置に限定されない。
第４図は、この発明に係るＣＲＴ画像診断ワークステーションでの生体認識方法を示すブロックダイヤグラムである。
先ず、スタート（Ａ２）後モニタ制御１８は、ＣＲＴ画像診断ワークステーション４のモニタ２をロックする（Ａ４）。不正な使用を防止するためである。
その後常に生体情報を収集しつづけ、モニタ２前に医師が着席し、画像入力装置６ａに医師の顔を撮影させて、音声入力装置６ｃに医師の声を集音させ、さらに医師の指を指紋識別装置６ｂに配置して認識させることで、着席した医師の生体情報が取りこまれる（Ａ６）。
生体情報認識ソフト８は、認識した顔情報と音声情報と指紋情報を認識して登録されている個人情報と生体情報１０と比較を開始する（Ａ１０）。
登録された人物と一致した場合は、ワークステーション４内のメモリに記録（Ａ１２）した後にモニタ制御１８が、モニタ２のロックを解除する（Ａ１４）。
さらに、その医師の担当する患者の診断情報と、個人情報とモニタ２の情報を診断画像にに結合する（Ａ１６）。
登録された人物と一致しない場合は、ワークステーション４内のメモリに記録（Ａ１８）した後にモニタ制御１８が、モニタ２のロックを継続し続けるとともにセキュリティシステムへ連絡する（Ａ２０）。
産業上の利用の可能性
以上説明したように、本発明に係るＣＲＴ画像診断ワークステーションでの生体認識システムによれば、パスワードを入力する煩雑性と、パスワードを盗まれたことによるセキュリティの低下を防止し、登録された本人のみしか持ち得ないバイオメトリクス情報による、診断情報保護のためのセキュリティが万全なものとなる。


【手続補正９】
【補正対象書類名】明細書
【補正対象項目名】０００８
【補正方法】変更
【補正の内容】
【０００８】
また、生体情報の認識によりリンク情報を基に医師の必要な患者データのみを表示することができて、改めて情報機器から患者診断情報を検索する作業が削減される。
さらに、診断情報が環境問題とリンクされるため、本システムを使用して診断した場合に、診断の環境情報が記録として残るため医療訴訟時に証拠として提出可能となる。


【手続補正１０】
【補正対象書類名】図面
【補正対象項目名】図１
【補正方法】変更
【補正の内容】
【図１】
2002042964.tif 000007
【手続補正１１】
【補正対象書類名】図面
【補正対象項目名】図２
【補正方法】変更
【補正の内容】
【図２】
2002042964.tif 000008
【手続補正１２】
【補正対象書類名】図面
【補正対象項目名】図３
【補正方法】変更
【補正の内容】
【図３】
2002042964.tif 000009
【手続補正１３】
【補正対象書類名】図面
【補正対象項目名】図４
【補正方法】変更
【補正の内容】
【図４】
2002042964.tif 000010
【国際調査報告】
2002042964.tif 000011
2002042964.tif 000012
2002042964.tif 000013